(57)【要約】【課題】カード類を容易に見分けられる状態で収納すること及び容易に出し入れすることを可能とするカードケースを提供する。【解決手段】カードケース（１）は、略矩形状の前面部（３）、背面部（４）及び折り返し部（５）が一体化した素材からなる長財布型の外形を有したカードケース本体（２）と、当該カードケース本体（２）の前面部（３）と背面部（４）の内側の折り曲げ部（６）を底辺とした扇型状に取り付けられた複数の菱形収納体（７）を備え、菱形収納体（７）は、矩形袋状の容器（８）を複数重ね、ひとつの矩形袋状の容器（８）は２ヶ所の収納袋（１０）を持ち、隣接する矩形袋状の容器（８）は、長辺のそれぞれの端から四分の一の箇所（１１）を接着した複数の矩形袋状の容器（８）を接合することにより形成される。扇型蛇腹状に広がる菱形開口部（１２）にカード類（Ａ）を短手方向に差し込み、カード類（Ａ）の少なくともその一部が露出した状態で収納保持する収納袋（１０）を有する。【選択図】図１
2016221200.tif 000002
【特許請求の範囲】
【請求項１】
形状が矩形で定められているキャッシュカード、クレジットカード、ＥＴＣカード、ポイントカード、健康保険証、診察券及び会員券等の各種カード類（Ａ）（以下、カード類という。）を収納し、容易に見分けることを可能にするためのカードケース（１）であって、略矩形状の前面部（３）、背面部（４）及び折り返し部（５）が一体化した素材からなる略長財布型の外形を有したカードケース本体（２）と、当該カードケース本体（２）の前面部（３）と背面部（４）の内側の折り曲げ部（６）を底辺とした扇型状に取り付けられた複数の菱形セル形状のカード収納体（以下、菱形収納体（７）という。）と、を備え、菱形収納体（７）は、略矩形袋状の容器（８）を複数重ね、ひとつの略矩形袋状の長辺を二等分する箇所（９）で分離した２ヶ所の収納袋（１０）を持ち、隣接する矩形袋状の容器（８）を長辺のそれぞれの端から四分の一の箇所（１１）を接着した形状を持ち、複数の矩形袋状の容器（８）を接合することにより形成される。扇型蛇腹状に広がる菱形開口部（１２）にカード類を短手方向に差し込み、カード類の少なくともその一部が露出した状態で収納保持するセル型ポケットを有することを特徴とするカードケース。
【請求項２】
前述菱形収納体（７）は、カードケース（１）が扇状に開くことにより菱形開口部（１２）が扇型蛇腹状に広がり、収納したカード類（Ａ）の上辺（Ｂ）と下辺（Ｃ）が菱形セル状の両辺（１３）に押さられることにより摩擦が大きくなるように構成されている、ことを特徴とする請求項１に記載のカードケース。
【請求項３】
前述菱形収納体（７）は、収納したカード類（Ａ）のロゴマーク、名称及びデザイン等の視認性が高まるように一部が露出する形状に形成されている、ことを特徴とする請求項１又は２に記載のカードケース。
【発明の詳細な説明】
【技術分野】
【０００１】  本発明はカード類を収納するためのカードケースに関するものである。
【背景技術】
【０００２】  従来のカードケース（図６）は、長財布形状の内側に、直列複数のカード収納ポケットが重なるように配置して、カード類の上部が見える状態で収納及び取り出せるように構成（以下、直列収納型カードケースという。）されている。【０００３】また、ケース内にカード収納ポケットを複数並列蛇腹状に配置し、カードケースが扇状に開くことにより、カード収納ポケットへのカード類の差し込みと取り出しが可能に構成（並列収納型カードケースという。）したものも存在している。
【先行技術文献】
なし。
【特許文献】
【特許文献】なし。
【非特許文献】
【非特許文献】なし。
【発明の概要】
【発明が解決しようとする課題】
【０００４】  しかし、直列収納型カードケース及び並列収納型カードケースは、収納したカードの上部のみ露出するためカード識別の困難性と、カード収納ポケットとカードが密着していることと、近距離にカードが隣接するため挿入と取り出しの容易性に課題があった。【０００５】また、直列収納型カードケースは、カードケースの素材の経年劣化により緩みが生じ、カード収納ポケットのカード保持力が弱まり、開口部からの脱落のおそれがある問題もあった。【０００６】  本発明は、前述の課題及び問題点を解決するために発案されたものであり、カード類を識別可能性の極めて高い状態で収納し、同時にカードの挿入及び取り出しの容易性とカード保持性を高めることができるカードケースを提供することを目的とする。
【課題を解決するための手段】
【０００７】前述の課題及び問題点を解決するため本発明は、定型のカード類（Ａ）を収納し、容易に見分けることを可能にするためのカードケース（１）であって、略矩形状の前面部（３）、背面部（４）及び折り返し部（５）が一体化した素材からなる長財布型の外形を有したカードケース本体（２）と、当該カードケース本体の前面部と背面部の内側の折り曲げ部（６）を底辺とした扇型状に取り付けられた複数の菱形収納体（７）を備え、菱形収納体（７）は、矩形袋状の容器（８）を複数重ね、ひとつの矩形袋状の容器（８）の長辺を二等分する箇所（９）で分離した２ヶ所の収納袋（１０）を持ち、隣接する矩形袋状の容器（８）は長辺のそれぞれの端から四分の一の箇所（１１）を接着した形状を持ち、複数の矩形袋状の容器（８）を接合することにより形成される。扇型蛇腹状に広がる菱形開口部（１２）にカード類（Ａ）を短手方向に差し込み、カード類（Ａ）の少なくともその一部が露出した状態で収納保持する収納袋（１０）を有することを特徴とするカードケース（１）を提供する。【０００８】前述菱形収納体（７）は、カードケース（１）が扇状に開くことにより菱形開口部（１２）が扇型蛇腹状に広がり、収納したカード類（Ａ）の上辺（Ｂ）と下辺（Ｃ）が菱形セル状の両辺（１３）に押さられることにより摩擦が大きくなるように構成されている、ものとする。【０００９】また、前記菱形収納体（７）は、収納したカード類（Ａ）の一部が短手方向に露出する形状に形成されている、ものとする。
【発明の効果】
【００１０】本発明により、カードケース本体（２）の折り曲げ部（６）を底辺とし菱形収納体（７）は扇型状に取り付けられているため、使用者はカードケース（１）の菱形収納体（７）を扇型蛇腹状に広げることによりカード類（Ａ）を扇開き状態で見ることができる。このためカード類が短手方向に収納されていることから、カード類（Ａ）のロゴマーク、名称及びデザイン等の視認性が高まり、カード類（Ａ）の識別は容易になる。また、カードケース（１）の菱形収納体（７）を扇型蛇腹状に広げることにより現れる菱形開口部（１２）にカード類（Ａ）の挿入と取り出しを行うので容易性は格段に向上する。【００１１】この菱形開口部（１２）は扇型蛇腹状に広がり、収納したカード類（Ａ）の上辺（Ｂ）と下辺（Ｃ）が菱形セル状の両辺（１３）に押さられることにより摩擦が大きくなり、カードケース（１）を開いた直後の不意なカードの脱落を防止できると共に、カードケース（１）の菱形収納体（７）を閉じた時はカード類（Ａ）と矩形袋状の容器（８）が押し付けられ摩擦が大きくなり更なる脱落防止を図ることができる。その上、カードケース（１）に留め金をつけることにより押さえつけ力は大きくなり脱落防止効果は上がり、折り返し部（５）に代わり周辺にファスナーをつけることにより脱落することはない。【００１２】また、菱形収納体（７）に収納したカード類（Ａ）が短手方向に一部露出する形状に形成するので、収納したカード類（Ａ）が掴み易くなると共に、カード類（Ａ）のロゴマーク、名称及びデザイン等の露出面積が大きくなりカード類（Ａ）の識別をしやすくしている。
【図面の簡単な説明】
【図１】カードケースを開いた状態を示した斜視図である。
【図２】カードケース本体を開いた状態を示した斜視図である。
【図３】菱形ポケット部にカード類を収納した状態を示した菱形収納体の正面図である。
【図４】カード類を収納した状態を示した菱形収納体の上面図である。
【図５】菱形収納体の側面図である。
【図６】従来のカードケースを示した平面図である。
【発明を実施するための形態】
【００１３】以下、この発明を実施するための形態を、図面に基づいて説明する。
【００１４】図１は本実施例のカードケース（１）を開いた状態の斜視図である。図２はカードケース本体（２）を開いた状態の斜視図である。
【００１５】図１および図２に示したように、本実施例のカードケース（１）は図２の長財布型の外見であるカードケース本体（２）に、菱形収納体（７）を内部に設けられた構成となっている。本実施例のカードケース（１）は、カードケース本体（２）の内部に設けられた菱形収納体（７）の菱形開口部（１２）へカード類（Ａ）を短手方向に収納することで、カード類（Ａ）の識別性向上と挿入及び取り出し易さを実現するものである。
【００１６】カードケース（１）は、皮や合皮など形状を保持できる材料を用いて略矩形状に作製した前面部（３）及び背面部（４）を折り曲げ部（６）で折り曲げて前面部（３）の上に折り返し部（５）が重なる形状とする。折り返し部（５）の裏面と前面部（３）にボタンや留め金等の固縛器具を装着することにより脱落を防止する。また、折り返し部（５）を取り除き、前面部（３）と背面部（４）にファスナーを設けることにより不用意に開かないようにする形状としても良い。カードケース（１）の厚みは、菱形収納体（７）のカード収納数にもよるが、携行することを考慮し２ｃｍ〜３ｃｍ程度を想定している。なお、それ以上の厚みを持たせて、保管用の用途も可能である。
【００１７】菱形収納体（７）は、複数の矩形袋状の容器（８）により構成され、ひとつの矩形袋状の容器（８）は皮や合皮など形状を保持できる材料を用いて、カード類（Ａ）が短手方向に１枚または、２枚重ねにして収納できる。縦の長さはカード類（Ａ）の長手方向の８割から９割と横の長さはカード類（Ａ）の短手方向に２枚分より１割程度の大きさになっている。当該大きさの材料を２枚に重ね、その両端と底辺及びその長辺を二等分する箇所（９）を接着し、２ヶ所の収納袋（１０）を形成している。一つの収納袋（１０）の菱形開口部（１２）からカード類（Ａ）を短手方向に差し込み、カード類（Ａ）の一部が露出した状態で保持することができ、カード類（Ａ）を２枚重ねて差し込むことも可能であり、ひとつの矩形袋状の容器（８）には最大４枚のカード類（Ａ）が収納できる。また、隣接する矩形袋状の容器（８）は、それぞれの長辺の端から四分の一の箇所（１１）を接着しているので、その間隙に収納袋（１０）が構成されることになる。さらに、前面部（３）と背面部（４）の内部に菱形収納体（７）を接着するとき、それぞれに３つの収納袋（１０）が形成されることになる。本実施例では、４つの矩形袋状の容器（８）とそれらをＵ字に包む外皮（１４）からなり、１６個の収納袋（１０）があり最大３２枚のカード類（Ａ）が収納することができる。なお、本実施例は、背面部（４）と菱形収納体（７）の接着を２ヶ所として広い開口部を設けてクレジット利用明細シートの収納スペースとすることも可能としている。
【００１８】菱形収納体（７）はカードケース（１）を開いた時には、前面部（３）と背面部（４）とに接着していることから左右方向に広がる。そのため菱形開口部（１２）が扇型蛇腹状に広がり収納したカード類（Ａ）の上辺（Ｂ）と下辺（Ｃ）が菱形セル状の両辺（１３）に押されることから摩擦が大きくなり、カードケース（１）の開放時の不意の脱落を防止することができる。
【実施例】なし。
【産業上の利用可能性】
【００１９】この発明を実施する形態は、皮や合皮など形状を保持できる材料だけを用いて、非常に容易に製作できることに利点があり、産業上の利用可能性は非常に高いものと考えられる。
【符号の説明】
【００２０】１  カードケース
２  カードケース本体
３  前面部
４  背面部
５  折り返し部
６  折り曲げ部
７  菱形収納体
８  矩形袋状の容器
９  矩形袋状の長辺を二等分する箇所
１０  収納袋
１１  長辺のそれぞれの端から四分の一の箇所
１２  菱形開口部
１３  菱形セル状の両辺
１４  外皮
Ａ  カード類
Ｂ  上辺
Ｃ  下辺
【図１】
2016221200.tif 000003
【図２】
2016221200.tif 000004
【図３】
2016221200.tif 000005
【図４】
2016221200.tif 000006
【図５】
2016221200.tif 000007
【図６】
2016221200.tif 000008